(57)【特許請求の範囲】
【請求項１】
１次側電源供給回路と、この１次側電源供給回路から電力供給される２次側電源供給回路と、この２次側電源供給回路に接続される制御系回路と、接点部が設けられ、この接点部を手動と自動とでオン／オフ操作可能な操作部材を有するスイッチ装置と、前記制御系回路と前記スイッチ装置との間に接続された蓄電回路とを備え、前記スイッチ装置は、前記１次側電源供給回路に接続されると共に、前記接点部を自動でオン操作可能な作動手段を有し、前記制御系回路からの信号に基づく自動オン時には、前記蓄電回路からの放電電流によって前記作動手段を作動させ、前記接点部をオンさせて前記１次側電源供給回路をオン状態にすると共に、前記１次側電源回路から供給された前記２次側電源供給回路の電力によって前記操作部材を駆動させて前記スイッチ装置を確実にオン状態に保持するようにしたことを特徴とする電子機器。
【請求項２】
前記スイッチ装置は、ハウジングと、このハウジングにスライド移動可能に設けられたスライド部材と、このスライド部材の移動に伴って接離される接点部と、前記スライド部材に連結され、前記スライド部材をロックする方向へ移動させる駆動部材とを備え、前記接点部は、前記ハウジングに可動自在に配設されると共に、前記ハウジングには前記接点部を作動させる作動手段を設け、前記制御系回路からの信号に基づく自動オン時には、前記スライド部材が移動する前に、前記作動手段により前記接点部を作動させて前記接点部をオンさせた後、前記接点部を流れる電流により前記駆動部材を駆動させて前記スライド部材をロック位置に移動させるようにしたことを特徴とする請求項１記載の電子機器。
【請求項３】
前記作動手段が、電磁コイルまたは電磁ソレノイドで構成されたことを特徴とする請求項１、又は２記載の電子機器。
【請求項４】
前記駆動部材が電磁ソレノイドからなり、前記駆動部材と前記作動手段を一個の電磁ソレノイドで構成すると共に、この電磁ソレノイドと前記接点部及び前記スライド部材とを連設するようにしたことを特徴とする請求項１、又は２記載の電子機器。
【請求項５】
前記スイッチ装置には、前記スライド部材の移動に連動して操作される検出スイッチ部を設け、前記スライド部材が前記ロック位置にロックされた時、前記検出スイッチ部の信号に基づいて前記駆動部材への通電を停止するようにしたことを特徴とする請求項１乃至４の何れかに記載の電子機器。
【発明の詳細な説明】
【０００１】
【発明の属する技術分野】
本発明は、リモートコントロール装置などの電気的信号によって電源をオン／オフさせる電子機器の構造に係り、特に小さな信号でスイッチ回路をオンさせることができる省電力対応のオートオン／オフ機能を有するスイッチ装置を有する電子機器の構造に関する。
【０００２】
【従来の技術】
従来のオートオン／オフ機能を有する電子機器の構造としては、スイッチ装置の内部に、操作部の押圧時にはスライド移動することによって接点部の切り換えを行うスライド部材と、このスライド部材と連結され、このスライド部材を押圧方向へ吸引する電磁ソレノイドを備えたスイッチ装置を用いた電子機器の構造が知られている。
【０００３】
この従来の電子機器のスイッチ装置は、通常の動作では、人間の指などで前記スライド部材の操作部を押圧することによって、スライド部材が移動し、前記接点部を切り換えてスイッチの回路をオンさせると共に、ロック部材によって前記スライド部材をスイッチ回路がオン状態となるロック位置にロックするようになっている。
また、スイッチ回路をオフさせる時には、ロックした状態の前記スライド部材の操作部を、再度押圧することによってロックを解除させ、復帰ばねの付勢力によって前記スライド部材を押圧する前の初期位置まで復帰させて前記接点部を切り換えることによりスイッチ回路をオフ状態にするようになっている。
【０００４】
これとは別に、従来の電子機器を電気的に動作（オートオン／オフ）させる場合には、リモートコントロール装置などの電気的信号によってスイッチ装置の内部に設けられた電磁ソレノイドに通電させ、この電磁ソレノイドを駆動することで電磁ソレノイドに連結されたスライド部材を吸引させて前記接点部を切り換えてスイッチ回路をオン／オフさせるものとなっている。
また、スイッチ回路を電気的にオフさせる場合には、スイッチ回路がオン状態である前記スライド部材のロック位置から、再度、リモートコントロール装置などで前記電磁ソレノイドに通電させ、この電磁ソレノイドに連結された前記スライド部材を、再度、吸引することにより前記スライド部材をロック状態から解除させ、前記復帰ばねの付勢力によって前記スライド部材を初期位置まで復帰させて前記接点部を切り換えることによりスイッチ回路をオフ状態にするようになっている。
【０００５】
【発明が解決しようとする課題】
しかしながら、上述した従来の電子機器の構造においては、リモートコントロール装置などの電気的な信号によってスイッチをオン（オートオン）させる場合に、スイッチ装置に備えられた前記電磁ソレノイドを駆動させ、前記スライド部材の吸引を行っていることから、前記スライド部材を前記復帰ばねの付勢力に抗して吸引しなければならず、このスライド部材の吸引には多大の駆動電力を必要とするため、従来のオートオン／オフ機能を有するスイッチ装置を搭載させるためには電子機器側のコンデンサーなどからなる蓄電回路の容量を大きくしなければならず、回路が大型化してしまうという問題や、蓄電回路に微少なエネルギーしか蓄えられない（容量が小さい）回路では使用できないという問題があった。
【０００６】
したがって、本発明では上述した問題点を解決し、オートオン／オフ機能を有する電子機器の構造で、オートオン時における電子機器側のコンデンサーなどからなる蓄電回路の容量を大きくすることなしに、小さな容量でスイッチをオンさせることができると共に、蓄電回路及びそれに使用する素子の小型化が図れる電子機器を提供することを目的とする。
【０００７】
【課題を解決するための手段】
上記課題を解決するために本発明では第１の手段として、１次側電源供給回路と、この１次側電源供給回路から電力供給される２次側電源供給回路と、この２次側電源供給回路に接続される制御系回路と、接点部が設けられ、この接点部を手動と自動とでオン／オフ操作可能な操作部材を有するスイッチ装置と、前記制御系回路と前記スイッチ装置との間に接続された蓄電回路とを備え、前記スイッチ装置は、前記１次側電源供給回路に接続されると共に、前記接点部を自動でオン操作可能な作動手段を有し、前記制御系回路からの信号に基づく自動オン時には、前記蓄電回路からの放電電流によって前記作動手段を作動させ、前記接点部をオンさせて前記１次側電源供給回路をオン状態にすると共に、前記１次側電源回路から供給された前記２次側電源供給回路の電力によって前記操作部材を駆動させて前記スイッチ装置を確実にオン状態に保持するようにしたことを特徴とする。
【０００８】
また、第２の手段として、前記スイッチ装置は、ハウジングと、このハウジングにスライド移動可能に設けられたスライド部材と、このスライド部材の移動に伴って接離される接点部と、前記スライド部材に連結され、前記スライド部材をロックする方向へ移動させる駆動部材とを備え、前記接点部は、前記ハウジングに可動自在に配設されると共に、前記ハウジングには前記接点部を作動させる作動手段を設け、前記制御系回路からの信号に基づく自動オン時には、前記スライド部材が移動する前に、前記作動手段により前記接点部を作動させて前記接点部をオンさせた後、前記接点部を流れる電流により前記駆動部材を駆動させて前記スライド部材をロック位置に移動させるようにしたことを特徴とする。
【０００９】
また、第３の手段として、前記作動手段が、電磁コイルまたは電磁ソレノイドで構成されたことを特徴とする。
【００１０】
また、第４の手段として、前記駆動部材が電磁ソレノイドからなり、前記駆動部材と前記作動手段を一個の電磁ソレノイドで構成すると共に、この電磁ソレノイドと前記接点部及び前記スライド部材とを連設するようにしたことを特徴とする。
【００１１】
また、第５の手段として、前記スイッチ装置には、前記スライド部材の移動に連動して操作される検出スイッチ部を設け、前記スライド部材が前記ロック位置にロックされた時、前記検出スイッチ部の信号に基づいて前記駆動部材への通電を停止するようにしたことを特徴とする。
【００１２】
【発明の実施の形態】
以下、本発明のオートオン／オフ機能を有する電子機器の実施例を図１乃至図８に示す。図１は、本発明の１実施例である電子機器の構造を示す回路図である。この場合の電子機器としては、テレビやビデオなどの家庭用の電子機器が一般的である。
【００１３】
図において、２１は１次側電源供給回路、２１ａは電源供給端子、２２は電源トランス、２３は信号系及びモータ系電源回路、２４は制御系要電源回路、２５、２６は整流ダイオード、２７は信号系及びモータ系回路、２８は制御系回路、２９は蓄電回路であるコンデンサー、３０、３１は駆動用トランジスタ、３２はスイッチ装置である。
【００１４】
前記スイッチ装置３２は、前記１次側電源供給回路２１に直列に接続されており、図においては、スイッチ装置として後述する接点部３ａ、４ａはオフ状態となっている。この状態から、リモートコントロールなどの電気信号などによって前記制御部２８に信号を送信すると、前記駆動用トランジスタ３０がオンされる。そして、作動手段である接点オン用の後述する電磁コイル１０又は前記電磁ソレノイド１３に、前記蓄電回路であるコンデンサー２９からの放電電流が通電されることとなり、前記スイッチ装置３２の接点部３ａ、４ａのみがオンされる。この状態では、スイッチ装置内に設けられた操作部材である後述するスライド部材６の移動はなく静止した状態となっている。
【００１５】
接点部３ａ、４ａがオンされると、前記１次側電源供給回路２１に通電され、これに伴って前記電源トランス２２が励磁されて、前記２次側電源回路である制御系電源回路２４が駆動され前記駆動トランジスタ３１がオンされる。そして、後述するスライド吸引用の電磁ソレノイド１１、１５、１６に通電されることでスイッチ装置として後述するスライド部材６はロック位置まで吸引されて、フルストローク移動した後に、前記制御部２９からの電磁ソレノイド１１、１５、１６への信号を停止することでスライド部材６はロック位置にロックされて前記スイッチ装置３２はオン状態を保持するものとなる。
【００１６】
この状態から、電子機器をオフにする場合には、リモートコントロールなどの電気信号などによって前記制御系回路２８に信号を送信すると、再び前記駆動トランジスタ３１に信号が送信されてオンとなり、電磁ソレノイド１１、１５、１６が再び通電されることで前記スイッチ装置３２のスライド部材６が吸引されるものとなり、この時ロックが外れて解除されることでスライド部材６は初期位置へと復帰するものとなる。そして、このスライド部材６の復帰に伴って、接点部３ａ、４ａがオフとなり電子機器の電源はオフ状態になるものとなる。
尚、手動で電子機器をオンにする場合においては、後述するスイッチ装置の実施例において説明することからここでの説明は省略する。
【００１７】
上述した、本発明の実施例によれば、前記１磁側電源供給回路２１に接続されたスイッチ装置３２に、このスイッチ装置３２の接点部３ａ、４ａを自動でオン操作可能な前記作動手段である電磁コイル１０、や電磁ソレノイド１３を設け、前記制御系回路２８からの信号に基づく自動オン時には、前記蓄電回路であるコンデンサー２９からの放電電流によって前記作動手段である電磁コイル１０、や電磁ソレノイド１３を作動させ、接点部３ａ、４ａをオンさせて前記１次側電源供給回路２１をオン状態にすると共に、前記１次側電源回路２１から供給された前記２次側電源供給回路である制御系回路２４の電力によって、前記操作部材である後述するスイッチ装置のスライド部材６を駆動させて前記スイッチ装置を確実にオン状態に保持するようにしたことから、前記作動手段を駆動させるための前記コンデンサー２９からの放電電流は、接点部３ａ、４ａを作動させるだけの小さなエネルギーでよく、また、前記操作部材の駆動は電子機器側のメインの回路からの電力によって行えるため、電子機器側の前記コンデンサー２９などからなる蓄電回路に大きな容量のエネルギーを蓄えておく必要がなくなり、回路が大型化してしまうという問題や、蓄電回路に微少なエネルギーしか蓄えられない（容量が小さい）回路では使用できないという問題を解決することができる。
【００１８】
以下、本発明のオートオン／オフ機能を有する電子機器に使用されるスイッチ装置の実施例について図２乃至図８で説明する。図２及び図３はスイッチ装置の第１の実施例を示し、図２はスイッチ装置の一部を破断した状態の平面図、図３は同じく正面図である。
【００１９】
図において、ハウジング１は、合成樹脂などの絶縁材からなり、内部に上面が開口された箱状の収納部１ａが形成されている。この収納部１ａの中央底部には、導電性の金属板から形成された一対の固定端子２ａ、２ｂが取付られており、この内底面側には、一対の前記固定端子２ａ、２ｂと電気的に接続されて、それぞれの接点部３ａ、４ａが対向された状態で接離可能なように同じく導電性の金属材からなる可動接点３と固定接点４が配設されている。
【００２０】
前記可動接点３の中央部には、一端側が前記可動接点３に係止され、他端側が前記固定端子４に枢支された略Ｌ時状の支持片３ｂと、同じく一端側が前記可動接点３に係止され、他端側が前記固定端子２ａに枢支された反転用の略Ｕ時状の板ばね３ｃが設けられている。また、長手方向の一端側には前記接点部３ａが固着され、これと対向する他端側には、後述するスライド部材６に係合され揺動動作される揺動作動部３ｄが設けられており、スライド部材６の移動に伴って前記支持片３ｂと共に揺動動作されることで、前記板ばね３ｃが反転し前記固定接点４の接点部４ａと接離可能となるように配設されたものとなっている。
【００２１】
また、前記固定接点４は、薄板状の金属材で板ばね状に形成されている。この固定接点４の一端側は、前記ハウジング１の内底面に揺動可能となるように固着されており、対向する他端側には前記接点部４ａが固着されている。また、前記固定接点４の中央部には、後述する電磁コイル１０のアーム部１０ｂに連結される連結部材５の一端側が接続されたものとなっている。
このように、前記固定接点４が、金属材で板ばね状に形成されていることから、前記固定接点４の前記接点部４ａが、後述する電磁コイル１０のアーム部１０ｂの動きに連動して、前記可動接点３の接点部３ａの方向へ可動自在となっている。
【００２２】
スライド部材６は、合成樹脂などの絶縁材で形成されており、前記ハウジング１の前記収納部１ａに収納される方形状の基部６ａと、この基部６ａから延設され、前記ハウジング１の外方へ突出される操作部６ｂとを備えている。
前記基部６ａには、前記可動接点３及び前記固定接点４が内部に配設される開口部６ｃが設けられており、この開口部６ｃの一側部には、前記可動接点３の前記揺動作動部３ｄが係合される動作溝部６ｄが形成されている。また、前記基部６ａの上面側には、後述する電磁ソレノイド１１の鉄芯部１１ａと連結された連結部材７の一端部が係合される係合溝部６ｅが形成されたものとなっている。
【００２３】
また、前記操作部６ｂの中央には、ばね収納部６ｆが設けられており、このばね収納部６ｆにコイル状の復帰ばね８が、一端部を前記ハウジング１の外縁部に当接した状態で収納されている。また、前記操作部６ｂの先端側には押圧部６ｇが設けられ、これと対向する側には、前記スライド部材６をスイッチのオン位置にロックさせるロックカムを有するハートカム部（図示せず）が設けられている。このハートカム部には、金属線材からなるロックピン９の一端部が摺動されており、このロックピン９の他端部は前記ハウジング１に回動可能に軸支されたものとなっている。
【００２４】
作動手段である電磁コイル１０は、中央に電気的な励磁鉄心１０ａを有し、この励磁鉄心１０ａの周りに導線をコイル状に巻いて形成された接点オン用の電磁コイルで、前記ハウジング１の前記収納部１ａの後端側に配設されている。前記電磁コイル１０には、金属性のアーム部１０ｂが回動可能に配設されて、このアーム部１０ｂの一端側が吸着可能に設けられており、この他端側には、前記固定接点４と接続される前記連結部材５の一端側が連結されたものとなっている。
前記電磁コイル１０が通電されることで、前記アーム部１０ｂが吸着され、前記連結部材５を介して前記固定接点４が揺動されるものとなっている。
【００２５】
駆動部材である電磁ソレノイド１１は、内部にスライド可能な鉄心１１ａを有するスライド吸引用のソレノイドで、前記ハウジング１の上面側に配設されている、前記電磁ソレノイド１１の前記鉄心１１ａの先端部には、前記連結部材７が設けられており、この連結部材７が前記スライド部材６の前記係合溝部６ｅに係合されたものとなっている。
前記電磁ソレノイド１１が通電されることで、前記鉄心１１ａが吸引され、前記連結部材７を介して前記スライド部材６が押圧方向へ吸引され移動されるものとなっている。
【００２６】
カバー部材１２は、板状の金属板から形成されており、前記ハウジング１の上面の開口された前記収納部１ａを覆うように前記ハウジング１上に取り付けられている。また、このカバー部材１２には、回路基板などへ取り付ける際の取付用の脚部１２ａが形成されている。
【００２７】
次に、上述したスイッチ装置の動作を説明する。
まず、人間の指などで機械的に動作させる場合には、前記操作部６ｂの押圧部６ｇを前記復帰ばね８の付勢力に抗して押圧することにより前記スライド部材６が移動し、図示しないハートカム部のロックカムと前記ロックピン９とにより押圧位置にロックされる。この時、前記スライド部材６の開口部６ｃ内に配設された前記可動接点３はその揺動作動部３ｄが、前記開口部６ｃの一側部に設けられた前記作動溝部６ｄにより押圧されることで揺動反転し、前記接点部３ａが前記固定接点４の接点部４ａと当接することでスイッチがオン状態となる。
【００２８】
この状態からスイッチをオフにする場合には、再度、前記操作部６ｄの押圧部６ｇを押圧することにより、図示しないハートカム部のロックカムから前記ロックピン９を解除させ、前記スライド部材６を前記復帰ばね８の復帰力によって押圧前の初期状態へと復帰させることにより前記可動接点３を揺動反転させ、前記接点部３ａを前記固定接点４の接点部４ａから離間させることでスイッチがオフ状態となる。
【００２９】
次に、電気的な信号によって、電気的に動作させる場合には、リモートコントロール装置などの電気的な信号により、電子機器側の前記コンデンサー２９などからなる蓄電回路をオンさせ、コンデンサー２９からの放電電流によって前記電磁コイル１０が通電される。この時、前記電磁コイル１０には、金属性の前記アーム部１０ｂが回動可能に配設されており、このアーム部１０ｂの一端側が吸着されることで、この他端側に連結された前記連結部材７を介して前記固定接点４が押圧揺動され、前記接点部４ａが前記可動接点３の接点部３ａと当接し各接点間がオン状態となる。
【００３０】
この場合、前記電磁コイル１０を駆動させるための前記コンデンサー２９からの放電電流は、前記固定接点４を押圧揺動させるだけの小さなエネルギーでよいことから、電子機器側のコンデンサーなどからなる蓄電回路の容量を大きくする必要がないため、回路が大型化してしまうという問題や、蓄電回路に微少なエネルギーしか蓄えられない（容量が小さい）回路では使用できないという問題を回避することができるものとなっている。
【００３１】
上記の各接点間がオンした状態では、電子機器側のメインの回路がオン状態となることから、このメインの回路から得られる大きな電力によってスライド吸引用の前記電磁ソレノイド１１が通電されるものとなり、この通電により前記電磁ソレノイド１１の鉄心１１ａが吸引されることにより前記連結部材７を介して前記スライド部材６が前記復帰ばね８の付勢力に抗して押圧方向へ吸引移動され、図示しないハートカム部のロックカムが前記ロックピン９によりロック位置にロックされる。この時、前記スライド部材６の開口部６ｃ内に配設された前記可動接点３はその揺動作動部３ｄが、前記開口部６ｃの一側部に設けられた前記作動溝部６ｄにより押圧されることで揺動反転し、前記接点部３ａが前記固定接点４の接点部４ａに確実に押圧されることでスイッチがオン状態に維持されるものとなる。この時、前記固定接点４は薄板状の金属材で板ばね状に形成されており、前記可動接点３の押圧力によって押圧方向へ若干撓むこととなり、この弾性によって更に確実な接触が得られるものとなる。
【００３２】
この場合、前記電磁ソレノイド１１を駆動させるためには、前記復帰ばね８の付勢力に抗して前記スライド部材６を吸引移動させなければならないため、大きな電力が必要となるが、前記電磁ソレノイド１１の駆動は電子機器側のメインの回路からの電力によって行っていることから、蓄電回路に大きな容量のエネルギーを蓄えておく必要がなくなり、回路の大型化が回避できるものとなっている。
【００３３】
次に、電気的にスイッチをオフにする場合には、リモートコントロール装置などの電気的信号により電子機器側のメインの回路で前記電磁ソレノイド１１を再び通電させることにより、前記鉄心１１ａを吸引させ、前記連結部材７を介して前記スライド部材６を、再度押圧方向へ吸引移動させることで、図示しないハートカム部のロックカムから前記ロックピン９を解除させ、前記スライド部材６を前記復帰ばね８の復帰力によって初期状態へと復帰させることにより前記可動接点３を揺動反転させ、前記接点部３ａを前記固定接点４の接点部４ａから離間させることでスイッチがオフ状態となる。
【００３４】
図４及び図５は第２の実施例であるスイッチ装置の構造を示し、図４はスイッチ装置の一部を破断した状態の平面図、図５は同じく正面図である。
尚、図２及び図３で説明した同一部品ついては、同一符号を付してその説明を省略する。
【００３５】
この場合、第１の実施例との相違点は、前記固定接点４を押圧揺動させる接点オン用の作動手段である前記電磁コイル１０に換わって、若干小さめの第１の電磁ソレノイド１３が設けられている構成となっている。
すなわち、前記第１の電磁ソレノイド１３は、前記ハウジング１の収納部１ａの一端側に配設されており、この第１の電磁ソレノイド１３の鉄心１３ａの先端には、Ｌ字状の連結部材１４の一端側が取り付けられ、この連結部材１４の他端側が前記固定接点４接続されたものとなっている。また、前記ハウジング１の収納部１ａには、前記第１の電磁ソレノイド１３に並設されて、若干大きめのスライド吸引用の第２の電磁ソレノイド１５が設けられている。
【００３６】
上述した構成のスイッチ装置を、電気的に動作させる場合には、リモートコントロール装置などの電気的な信号により、電子機器側の前記コンデンサー２９などからなる蓄電回路をオンさせ、コンデンサー２９からの放電電流によって前記第１の電磁ソレノイド１３が通電される。この時、前記第１の電磁ソレノイド１３の鉄心１３ａが吸引されることで、この鉄心１３ａに連結された前記連結部材１４を介して前記固定接点４が押圧揺動され、前記接点部４ａが前記可動接点３の接点部３ａと当接し各接点間がオン状態となる。
【００３７】
この場合においても、前記第１の電磁ソレノイド１３を駆動させるための前記コンデンサー２９からの放電電流は、前記固定接点４を押圧揺動させるだけの小さなエネルギーでよいことから、電子機器側のコンデンサーなどからなる蓄電回路の容量を大きくする必要がないため、回路が大型化してしまうという問題や、蓄電回路に微少なエネルギーしか蓄えられない（容量が小さい）回路では使用できないという問題を回避することができるものとなっている。
【００３８】
上記の各接点間がオンした状態では、電子機器側のメインの回路がオン状態となることから、このメインの回路から得られる大きな電力によってスライド吸引用の前記第２の電磁ソレノイド１５が通電されるものとなり、この通電により前記第２の電磁ソレノイド１５の鉄心１５ａが吸引されることにより前記スライド部材６が前記復帰ばね８の付勢力に抗して押圧方向へ吸引移動され、図示しないハートカム部のロックカムが前記ロックピン９によりロック位置にロックされる。この時、前記スライド部材６の開口部６ｃ内に配設された前記可動接点３はその揺動作動部３ｄが、前記開口部６ｃの一側部に設けられた前記作動溝部６ｄにより押圧されることで揺動反転し、前記接点部３ａが前記固定接点４の接点部４ａに確実に押圧されることでスイッチがオン状態に維持されるものとなる。この時、前記固定接点４は薄板状の金属材で板ばね状に形成されており、前記可動接点３の押圧力によって押圧方向へ若干撓むこととなり、この弾性によって更に確実な接触が得られるものとなる。
【００３９】
図６は第３の実施例であるスイッチ装置の構造を示し、図６はスイッチ装置の一部を破断した状態の平面図である。
尚、図２乃至図５で説明した同一部品ついては、同一符号を付してその説明を省略する。
【００４０】
この場合、第１及び第２の実施例との相違点は、前記固定接点４を押圧揺動させる接点オン用の作動手段とスライド吸引用の駆動部材を一個の電磁ソレノイドで構成した点である。
すなわち、電磁ソレノイド１６は、前記ハウジング１の収納部１ａの一端側に配設されており、この電磁ソレノイド１６の鉄心１６ａの先端には、連結部材１７を介して略Ｌ字状の板ばねからなる固定接点４の一端側が取り付けられている。この固定接点４の中央部は前記ハウジング１の内底面に設けられた揺動支持部１ｂに支持されており、また、この固定接点４の他端側に前記接点部４ａが設けられている。
前記鉄心１６ａは、やや細径の軸部１６ｂと、この軸部１６ｂの先端に設けられたやや太径の係止部１６ｃとからなり、前記鉄心１６ａの軸部１６ｂに、前記スライド部材６の後端側に設けられた連結腕部６ｈが遊嵌状態で連結されている。このため、前記鉄心１６ａは前記スライド部材６の移動とは独立して、吸引方向へスライド移動可能なように係合されたものとなっている。
【００４１】
上述した構成のスイッチ装置を、電気的に動作させる場合には、リモートコントロール装置などの電気的な信号により、電子機器側の前記コンデンサー２９などからなる蓄電回路をオンさせ、コンデンサー２９からの放電電流によって前記電磁ソレノイド１６が通電される。この時、前記電磁ソレノイド１６の鉄心１６ａは、先端の前記係止部１６ｃが前記スライド部材６の連結腕部６ｈに当接するまで吸引されることとなり、この時、前記鉄心１６ａに前記連結部材１７を介して取り付けられた前記固定接点４が、前記揺動支持部１ｂを支点として回動され、前記接点部４ａが前記可動接点３の接点部３ａと当接し各接点間がオン状態となる。
【００４２】
この場合においても、前記電磁ソレノイド１６を駆動させるための前記コンデンサー２９からの放電電流は、前記固定接点４を吸引回動させるだけの小さなエネルギーでよいことから、電子機器側のコンデンサーなどからなる蓄電回路の容量を大きくする必要がないため、回路が大型化してしまうという問題や、蓄電回路に微少なエネルギーしか蓄えられない（容量が小さい）回路では使用できないという問題を回避することができるものとなっている。
【００４３】
上記の各接点間がオンした状態では、電子機器側のメインの回路がオン状態となることから、このメインの回路から得られる大きな電力によって前記電磁ソレノイド１６への通電がさらに増加されるものとなり、この通電の増加により前記電磁ソレノイド１６の鉄心１６ａが、前記連結腕部６ｈに当接した状態からさらに吸引されることとなり、前記スライド部材６が前記復帰ばね８の付勢力に抗して押圧方向へ吸引移動され、ハートカム部１８のロックカムが前記ロックピン９によりロック位置にロックされる。この時、前記スライド部材６の開口部６ｃ内に配設された前記可動接点３はその揺動作動部３ｄが、前記開口部６ｃの一側部に設けられた前記作動溝部６ｄにより押圧されることで揺動反転し、前記接点部３ａが前記固定接点４の接点部４ａに確実に押圧されることでスイッチがオン状態に維持されるものとなる。この時、前記固定接点４は薄板状の金属材で板ばね状に形成されており、前記可動接点３の押圧力によって押圧方向へ若干撓むこととなり、この弾性によって更に確実な接触が得られるものとなる。
【００４４】
上記した実施例によれば、接点オン用の作動手段である電磁ソレノイドとスライド吸引用の駆動部材である電磁ソレノイドを、一個の前記電磁ソレノイド１６で構成するようにしたことから、部品点数が削減され、スイッチ装置の小型化や廉価対応が可能となっている。
【００４５】
図７及び図８は第４の実施例であるスイッチ装置の構造を示し、図７は検出スイッチを取り付けた状態の部分断面図、図８は同じくスイッチがオン状態の部分断面図である。
尚、図２乃至図６で説明した同一部品ついては、同一符号を付してその説明を省略する。
【００４６】
この場合、第１乃至第３の実施例との相違点は、スイッチ装置３２の前記ハウジング１の後部に、前記スライド部材６の移動に連動して操作される検出スイッチ部１９が設けられている点である。
すなわち、前記ハウジング１の後部には、対向された一対の接点部２０ａ、２０ｂが配設された検出スイッチ部１９が設けられており、また、前記スライド部材６の後端部には、前記検出スイッチ１９の接点部２０ａ、２０ｂを押圧し各接点部２０ａ、２０ｂ間を接続させる押圧突部６ｉが設けられており、前記スライド部材６が前記ロック位置にロックされた時、前記押圧突部６ｉによって前記検出スイッチ部１９がオンされるようになっている。
【００４７】
前記ハウジング１の後部に前記検出スイッチ部１９設けることにより、前記スライド部材６が、前記電磁ソレノイド１１、１５、１６への通電による吸引で前記ロック位置にロックされた時、前記検出スイッチ部１９のオン信号に基づいて前記電磁ソレノイド１１、１５、１６への通電を停止するように制御することができることから、前記電磁ソレノイド１１、１５、１６の通電時間を制御する制御回路等が不要になると共に、省電力化に対応できる。
【００４８】
上述した、本発明のスイッチ装置の実施例によれば、前記スライド部材６の移動に伴って接離される前記接点部３、４を、前記ハウジング１に可動自在に配設すると共に、前記ハウジング１に、前記接点部３、４を作動させる作動手段である前記電磁コイル１０や前記第１の電磁ソレノイド１３、または前記電磁ソレノイド１６を設けるようにして、電気的信号によるスイッチのオン時には、前記スライド部材６が移動する前に、前記電磁コイル１０や前記第１の電磁ソレノイド１３、または前記電磁ソレノイド１６により前記接点部３、４を作動させて前記接点部３、４をオンさせた後、前記接点部３、４間を流れる電流によりスライド吸引用の前記電磁ソレノイド１１、１６や前記第２の電磁ソレノイド１５を駆動させて前記スライド部材６をロック位置に移動させるようにしたことから、前記電磁コイル１０や前記第１の電磁ソレノイド１３、または前記電磁ソレノイド１６を駆動させるための前記コンデンサー２９からの放電電流は、前記接点部３ａ、４ａを作動させるだけの小さなエネルギーでよく、また、スライド吸引用の前記電磁ソレノイド１１、１６や前記第２の電磁ソレノイド１５の駆動は電子機器側のメインの回路からの電力によって行えるため、電子機器側の前記コンデンサー２９などからなる蓄電回路に大きな容量のエネルギーを蓄えておく必要がなくなり、回路が大型化してしまうという問題や、蓄電回路に微少なエネルギーしか蓄えられない（容量が小さい）回路では使用できないという問題を解決することができる。
【００４９】
【発明の効果】
以上説明したように、本発明の電子機器の構造は、１磁側電源供給回路に接続されたスイッチ装置に、このスイッチ装置の接点部を自動でオン操作可能な作動手段を設け、制御系回路からの信号に基づく自動オン時には、蓄電回路からの放電電流によって作動手段を作動させ、接点部をオンさせて１次側電源供給回路をオン状態にすると共に、１次側電源回路から供給された２次側電源供給回路である制御系回路の電力によって、操作部材を駆動させてスイッチ装置を確実にオン状態に保持するようにしたことから、オートオン時における電子機器側のコンデンサーなどからなる蓄電回路の容量を大きくすることなしに、小さな容量でスイッチをオンさせることができると共に、蓄電回路及びそれに使用する素子の小型化が図れるため、電子機器の電気回路部が簡易となり小型化が図れる。
【００５０】
また、スイッチ装置は、ハウジングと、このハウジングにスライド移動可能に設けられたスライド部材と、このスライド部材の移動に伴って接離される接点部と、スライド部材に連結され、スライド部材をロックする方向へ移動させる駆動部材とを備え、接点部は、ハウジングに可動自在に配設されると共に、ハウジングには接点部を作動させる作動手段を設け、制御系回路からの信号に基づく自動オン時には、スライド部材が移動する前に、作動手段により接点部を作動させて接点部をオンさせた後、接点部を流れる電流により駆動部材を駆動させてスライド部材をロック位置に移動させるようにしたことから、オートオン時における電子機器側のコンデンサーなどからなる蓄電回路の容量を大きくすることなしに、小さな容量でスイッチをオンさせることができると共に、蓄電回路及びそれに使用する素子の小型化が図れる。
【００５１】
また、作動手段が、電磁コイルまたは電磁ソレノイドで構成されたことから、蓄電回路での駆動が可能なため、電子機器側のコンデンサーなどからなる蓄電回路の容量を大きくする必要がないため、回路の小型化が図れる。
【００５２】
また、駆動部材が電磁ソレノイドからなり、駆動部材と作動手段を一個の電磁ソレノイドで構成すると共に、この電磁ソレノイドと接点部及びスライド部材とを連設するようにしたことから、部品点数が削減され、スイッチ装置の小型化や廉価対応が可能となる。
【００５３】
また、スイッチ装置には、スライド部材の移動に連動して操作される検出スイッチ部を設け、スライド部材がロック位置にロックされた時、検出スイッチ部の信号に基づいて駆動部材への通電を停止するようにしたことから、電磁ソレノイドの通電時間を制御する制御回路等が不要になると共に、省電力化に対応できる。
【図面の簡単な説明】
【図１】本発明の電子機器の構造を示す回路図である。
【図２】本発明の第１の実施例であるスイッチ装置の一部を破断した状態を示す平面図である。
【図３】本発明の、同じくスイッチ装置の一部を破断した状態を示す正面図である。
【図４】本発明の第２の実施例であるスイッチ装置の一部を破断した状態を示す平面図である。
【図５】本発明の同じくスイッチ装置の一部を破断した状態を示す正面図である。
【図６】本発明の第３の実施例であるスイッチ装置の一部を破断した状態を示す平面図である。
【図７】本発明の第４の実施例であるスイッチ装置に検出スイッチを取り付けた状態を示す部分断面図である。
【図８】本発明の同じく検出スイッチのオン状態を示す部分断面図である。
【符号の説明】
１  ハウジング
１ａ  収納部
１ｂ  揺動支持部
２ａ、２ｂ  固定端子
３  可動接点
３ａ  接点部
３ｂ  支持片
３ｃ  板ばね
３ｄ  揺動作動部
４  固定接点
４ａ  接点部
５、７、１４、１７  連結部材
６  スライド部材（操作部材）
６ａ  基部
６ｂ  操作部
６ｃ  開口部
６ｄ  動作溝部
６ｅ  係合溝部
６ｆ  ばね収納部
６ｇ  押圧部
６ｈ  連結腕部
６ｉ  押圧突部
８  復帰ばね
９  ロックピン
１０  電磁コイル（作動手段）
１０ａ  励磁鉄心
１０ｂ  アーム部
１１  電磁ソレノイド（駆動部材）
１１ａ  鉄心
１２  カバー部材
１２ａ  脚部
１３  第１の電磁ソレノイド（作動手段）
１３ａ  鉄心
１５  第２の電磁ソレノイド（駆動部材）
１５ａ  鉄心
１６  電磁ソレノイド
１６ａ  鉄心
１６ｂ  軸部
１６ｃ  係止部
１８  ハートカム部
１９  検出スイッチ部
２０ａ、２０ｂ  接点部
２１  １次側電源供給回路
２１ａ  電源供給端子
２２  電源トランス
２３  信号系及びモータ系電源回路
２４  制御系電源回路
２５、２６  整流ダイオード
２７  信号系及びモータ系回路
２８  制御系回路
２９  コンデンサー（蓄電回路）
３０、３１  駆動用トランジスタ
３２  スイッチ装置
【図１】
0003845247.tif 000002
【図２】
0003845247.tif 000003
【図３】
0003845247.tif 000004
【図４】
0003845247.tif 000005
【図５】
0003845247.tif 000006
【図６】
0003845247.tif 000007
【図７】
0003845247.tif 000008
【図８】
0003845247.tif 000009